(57)【要約】【課題】  遊星歯車に供給する油路の位置決めを精度よく行なうと共に遊星歯車の回転要素による回転により油路を形成する部材が回転するのを抑止する。【解決手段】  オイルレシーバ４０に二つの開口した円柱形状の凸部４４ａ，４４ｂと５つのオイル用貫通孔４６ａ〜４６ｅとを形成すると共にケースＣＳのオイルレシーバ４０が配置される端面に二つの凹部５０ａ，５０ｂとオイル溝５２とを形成し、凸部４４ａ，４４ｂが凹部５０ａ，５０ｂに嵌合するようケースＣＳにオイルレシーバ４０を取り付けてオイル溝５２とオイルレシーバ４０とによりオイル用貫通孔４６ａ〜４６ｅを介して遊星歯車３５の回転要素に潤滑オイルを供給する油路を形成する。これにより、オイルレシーバ４０の位置決めを精度よく行なうことができると共にオイルレシーバ４０の回転を抑止することができる。【選択図】        図２
2006250270.tif 000002
【特許請求の範囲】
【請求項１】
遊星歯車と、
前記遊星歯車を収納すると共に該遊星歯車の回転要素の軸方向端部に少なくとも一つの凹部と前記遊星歯車に潤滑油を供給する油路を他の部材と共に形成する油路形成部が形成されたケースと、
前記凹部に嵌合する凸部と少なくとも一つの貫通孔を有する環状の板状部材として形成され、前記遊星歯車の回転要素の軸方向端部に前記ケースとの間に前記凹部と前記凸部とが嵌合するよう配設され、前記ケースとにより前記遊星歯車に前記貫通孔を介して潤滑油を供給するための油路を形成する前記他の部材として機能する油路形成部材と、
を備える遊星歯車装置。
【請求項２】
請求項１記載の遊星歯車装置であって、
前記ケースは、複数の凹部が形成されてなり、
前記油路形成部材は、前記複数の凹部に嵌合する複数の凸部が形成されてなる、
遊星歯車装置。
【請求項３】
前記凸部は、端部が開口した円柱形状に形成されてなる請求項１または２記載の遊星歯車装置。
【請求項４】
前記凸部は、バーリング加工により形成されてなる請求項１ないし３いずれ記載の遊星歯車装置。
【請求項５】
前記ケースは、前記遊星歯車の前記油路形成部材が配設された側とは反対側に第２の遊星歯車を収納するケースである請求項１ないし４いずれか記載の遊星歯車装置。
【請求項６】
前記ケースは、前記遊星歯車の前記油路形成部材が配設された側とは反対側に第１の電動機を収納するケースである請求項１ないし５いずれか記載の遊星歯車装置。
【請求項７】
前記ケースは、前記遊星歯車とにより前記油路形成部材を狭持するよう第２の電動機を収納するケースである請求項１ないし６いずれか記載の遊星歯車装置。
【発明の詳細な説明】
【技術分野】
【０００１】
本発明は、遊星歯車装置に関する。
【背景技術】
【０００２】
従来、この種の遊星歯車装置としては、プラネタリギヤのキャリアの軸方向端部にプラネタリギヤの軸支部を測方から覆う被覆部を有する環状のカバーを一体回転可能に取り付けたものが提案されている（例えば、特許文献１参照）。この装置では、カバーの外周部に内周に向けて開口し被覆部を基端としてキャリアの回転方向に延びる円弧状のオイル溜部を設けると共にカバーの回転によってカバー周辺の潤滑油をかき集めてオイル溜部に導くオイル受部を設けている。また、キャリアのプラネタリギヤの軸支部にプラネタリギヤの潤滑必要部とオイル溜部の基端を接続する油路も設けている。
【特許文献１】特開平９−６０７１３号公報
【発明の開示】
【発明が解決しようとする課題】
【０００３】
しかしながら、上述の遊星歯車装置では、カバーはキャリアと一体となって回転するものであるため、潤滑油の外部からの油路の形成は困難なものとなる。また、ピニオンギヤに潤滑油を供給する油路の位置決めに対する十分な精度の確保も困難なものとなる。
【０００４】
本発明の遊星歯車装置は、潤滑油の外部からの油路の形成が容易で遊星歯車に供給する油路の位置決めを精度よく行なうことを目的の一つとする。また、本発明の遊星歯車装置は、遊星歯車の回転要素による回転により油路を形成する部材が回転するのを抑止することを目的の一つとする。
【課題を解決するための手段】
【０００５】
本発明の遊星歯車装置は、上述の目的の少なくとも一部を達成するために以下の手段を採った。
【０００６】
本発明の遊星歯車装置は、
遊星歯車と、
前記遊星歯車を収納すると共に該遊星歯車の回転要素の軸方向端部に少なくとも一つの凹部と前記遊星歯車に潤滑油を供給する油路を他の部材と共に形成する油路形成部が形成されたケースと、
前記凹部に嵌合する凸部と少なくとも一つの貫通孔を有する環状の板状部材として形成され、前記遊星歯車の回転要素の軸方向端部に前記ケースとの間に前記凹部と前記凸部とが嵌合するよう配設され、前記ケースとにより前記遊星歯車に前記貫通孔を介して潤滑油を供給するための油路を形成する前記他の部材として機能する油路形成部材と、
を備えることを要旨とする。
【０００７】
この本発明の遊星歯車装置では、ケースの遊星歯車の回転要素の軸方向端部に形成された凹部に凸部が嵌合するよう油路形成部材を遊星歯車とケースとの間に配設することにより、ケースとにより遊星歯車に貫通孔を介して潤滑油を供給するための油路を形成する。ケースに形成された凹部と油路形成部材に形成された凸部とが嵌合するから、遊星歯車に供給する油路の位置決めを精度よく行なうことができると共に遊星歯車の回転要素による回転により油路形成部材が回転するのを抑止することができる。もとより、ケースと油路形成部材とにより油路を形成するから、潤滑油の外部からの油路の形成を容易なものとすることができる。
【０００８】
こうした本発明の遊星歯車装置において、前記ケースは複数の凹部が形成されてなり、前記油路形成部材は前記複数の凹部に嵌合する複数の凸部が形成されてなる、ものとすることもできる。こうすれば、複数の凹部に複数の凸部が嵌合することになるから、遊星歯車に供給する油路の位置決めを更に精度よく行なうことができると共に遊星歯車の回転要素による回転により油路形成部材が回転するのをより効果的に抑止することができる。
【０００９】
また、本発明の遊星歯車装置において、前記凸部は、端部が開口した円柱形状に形成されてなるものとすることもできる。また、前記凸部は、バーリング加工により形成されてなるものとすることもできる。
【００１０】
さらに、本発明の遊星歯車装置において、前記ケースは、前記遊星歯車の前記油路形成部材が配設された側とは反対側に第２の遊星歯車を収納するケースであるものとすることもできる。また、前記ケースは、前記遊星歯車の前記油路形成部材が配設された側とは反対側に第１の電動機を収納するケースであるものとすることもできる。更に、前記ケースは、前記遊星歯車とにより前記油路形成部材を狭持するよう第２の電動機を収納するケースであるものとすることもできる。こうすれば、遊星歯車装置を第２の遊星歯車や第１の電動機や第２の電動機などと同一のケースに収納するから、コンパクトなものとすることができる。
【発明を実施するための最良の形態】
【００１１】
次に、本発明を実施するための最良の形態を実施例を用いて説明する。
【実施例】
【００１２】
図１は本発明の一実施例としての遊星歯車装置２０が組み込まれた駆動装置１０の構成の概略を示す構成図であり、図２は図１のＡ−Ａ断面を示す断面図であり、図３は駆動装置１０の構造を模式的に示す模式図であり、図４は実施例の遊星歯車装置２０が備える油路形成部材としてのオイルレシーバ４０の外観を示す斜視図である。
【００１３】
実施例の駆動装置１０は、図１および図３に示すように、二つのモータＭＧ１，ＭＧ２と、この二つのモータＭＧ１，ＭＧ２の間に配置された二つの遊星歯車３０，３５と、ケースと遊星歯車３５との間に配置されたオイルレシーバ４０とを、右からモータＭＧ１，遊星歯車３０，遊星歯車３５，オイルレシーバ４０，モータＭＧ２の順に配置して一体のケースＣＳに収納している。ここで、実施例の遊星歯車装置２０としては、二つの遊星歯車３０，３５とオイルレシーバ４０とケースＣＳとが相当する。なお、図１および図３には、エンジンのトルク脈動を緩和するダンパ６４や遊星歯車３０，３５のリングギヤに連結された連結ギヤ６０，この連結ギヤ６０に連結しているデファレンシャルギヤ６１も示されている。
【００１４】
オイルレシーバ４０は、図４に示すように、環状の板状部材として構成されており、取っ手部４２が折り曲げ加工により形成されている。オイルレシーバ４０の環状部には対面するよう二つの開口した円柱形状の凸部４４ａ，４４ｂがバーリング加工により形成されており、同じく環状部には略均等に５つのオイル用貫通孔４６ａ〜４６ｅが穴あけ加工により形成されている。
【００１５】
ケースＣＳのオイルレシーバ４０が配置される端面には、図１および図２に示すように、凸部４４ａ，４４ｂが丁度嵌合するよう二つの凹部５０ａ，５０ｂが穴あけ加工により形成されており、同じくオイルレシーバ４０が配置される端面には、取っ手部４２の部位からオイル用貫通孔４６ａ〜４６ｅに連通するよう潤滑オイルの油路を形成するオイル溝５２が形成されている。
【００１６】
ケースＣＳにオイルレシーバ４０が取り付けられると、図１の左下の拡大部分や図２に示すように、ケースＣＳのオイルレシーバ４０が配置される端面に形成された二つの凹部５０ａ，５０ｂにオイルレシーバ４０に形成された凸部４４ａ，４４ｂが嵌合する。これにより、オイルレシーバ４０の位置決めを高精度に行ない、隣接する遊星歯車３５の回転要素の回転に対してもオイルレシーバ４０の回転を抑止する。また、ケースＣＳにオイルレシーバ４０を取り付けることによりケースＣＳに形成したオイル溝５２はオイルレシーバ４０の面と共に潤滑オイルの油路を形成し、ケースＣＳの取っ手部４２近傍から供給された潤滑オイルをオイルレシーバ４０に形成された５つのオイル用貫通孔４６ａ〜４６ｅに導いて遊星歯車３５の回転要素側に供給する。なお、図１の拡大部分は、波線の上半分についてはオイル溝５２やオイル用貫通孔４６ｂを示し、波線の下半分については凹部５０ａや凸部４４ａを示した。
【００１７】
以上説明した実施例の遊星歯車装置２０によれば、オイルレシーバ４０の環状部に二つの開口した円柱形状の凸部４４ａ，４４ｂを形成すると共にケースＣＳのオイルレシーバ４０が配置される端面における凸部４４ａ，４４ｂが整合する部位に二つの凹部５０ａ，５０ｂを形成し、オイルレシーバ４０に形成した凸部４４ａ，４４ｂをケースＣＳに形成した凹部５０ａ，５０ｂに嵌合するようケースＣＳにオイルレシーバ４０を取り付けることにより、遊星歯車３５の回転要素に供給する潤滑オイルの油路の位置決めを精度よく行なうことができると共に遊星歯車３５の回転要素による回転によりオイルレシーバ４０が回転するのを抑止することができる。
【００１８】
実施例の遊星歯車装置２０では、オイルレシーバ４０に二つの凸部４４ａ，４４ｂを形成すると共にケースＣＳのオイルレシーバ４０を配置する端面における凸部４４ａ，４４ｂが整合する部位に二つの凹部５０ａ，５０ｂを形成するものとしたが、オイルレシーバ４０に三つ以上の凸部を形成すると共にケースＣＳのオイルレシーバ４０を配置する端面における各凸部が整合する部位に三つ以上の凹部を形成するものとしてもよいし、オイルレシーバ４０に一つの凸部を形成すると共にケースＣＳのオイルレシーバ４０を配置する端面におけるこの凸部が整合する部位に一つの凹部を形成するものとしてもかまわない。
【００１９】
実施例の遊星歯車装置２０では、オイルレシーバ４０の環状部にバーリング加工により二つの凸部４４ａ，４４ｂを形成するものとしたが、こうした凸部４４ａ，４４ｂの形成はバーリング加工に限定されるものではなく、如何なる手法によって形成するものとしてもかまわない。
【００２０】
実施例の遊星歯車装置２０では、オイルレシーバ４０の環状部に二つの開口した円柱形状の凸部４４ａ，４４ｂを形成するものとしたが、凸部４４ａ，４４ｂは、開口している必要はなく、閉口した円柱形状として形成するものとしてもよい。また、その形状は円柱形状に限られるものではなく、角柱形状としてもかまわない。この場合、オイルレシーバ４０の位置決めが行なわれ、遊星歯車３５の回転要素の回転により回転しないように保持すればよいから、ケースＣＳの凹部５０ａ，５０ｂの形状は凸部４４ａ，４４ｂの形状に完全に一致する必要はない。例えば、凸部４４ａ，４４ｂを断面が正八角形の角柱形状に形成し、凹部５０ａ，５０ｂを正四角形の断面となるよう形成するものとしてもよい。
【００２１】
実施例の遊星歯車装置２０では、オイルレシーバ４０に５つのオイル用貫通孔４６ａ〜４６ｅを形成するものとしたが、オイルレシーバ４０に形成するオイル用貫通孔の数は４つ以下としてもよいし、６つ以上としてもよい。
【００２２】
実施例の遊星歯車装置２０では、モータＭＧ１やモータＭＧ２と共にケースＣＳに収納されるものとしたが、こうしたモータＭＧ１やモータＭＧ２と共にケースに収納されないものとしても差し支えない。
【００２３】
実施例の遊星歯車装置２０では、二つの遊星歯車３０，３５を備えるものとしたが、一つの遊星歯車を備えるものとしてもかまわない。
【００２４】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２５】
本発明は、遊星歯車装置の製造産業に利用可能である。
【図面の簡単な説明】
【００２６】
【図１】本発明の一実施例としての遊星歯車装置２０が組み込まれた駆動装置１０の構成の概略を示す構成図である。
【図２】図１のＡ−Ａ断面を示す断面図である。
【図３】駆動装置１０の構造を模式的に示す模式図である。
【図４】実施例の遊星歯車装置２０が備える油路形成部材としてのオイルレシーバ４０の外観を示す斜視図である。
【符号の説明】
【００２７】
１０  駆動装置、２０  遊星歯車装置、３０，３５  遊星歯車、４０  オイルレシーバ、４２  取っ手部、４４ａ，４４ｂ  凸部、４６ａ〜４６ｅ  オイル用貫通孔、５０ａ，５０ｂ  凹部、５２  オイル溝、６０  連結ギヤ、６１  デファレンシャルギヤ、６４  ダンパ、ＣＳ  ケース、ＭＧ１，ＭＧ２  モータ。
【図１】
2006250270.tif 000003
【図２】
2006250270.tif 000004
【図３】
2006250270.tif 000005
【図４】
2006250270.tif 000006